(57)【要約】【課題】画像の登録数や登録日の把握を容易にする。【解決手段】画像管理装置が、連続する複数の日付に対応する複数の日付領域が表示されるともに、複数の日付と画像との関連づけに基づき画像が関連づけられた日付の日付領域に当該画像の第１サムネイルが表示される第１領域と、第１領域と異なる第２領域とを含む第１画面をディスプレイに表示し、複数の日付領域の一つが選択された場合に、選択された日付領域の日付と関連づけられている画像を第２領域に表示し、第１領域の拡大指示が入力された場合に、複数の日付領域のうち、少なくとも連続する２以上の日付領域が第１画面におけるサイズよりも拡大表示されるとともに、拡大表示された日付領域に前記第１サムネイルの一部領域が拡大された第２サムネイルが表示される第２画面を第１画面に代わって前記ディスプレイに表示する。【選択図】図５
2017167585.tif 000002
【特許請求の範囲】
【請求項１】
連続する複数の日付のそれぞれと画像との関連づけを記憶する記憶部と、
前記複数の日付に対応する複数の日付領域が表示されるともに、前記記憶部の関連づけに基づき画像が関連づけられている日付の日付領域に関連づけられた画像の第１サムネイルが表示される第１領域と、前記第１領域と異なる第２領域とを含む第１画面をディスプレイに表示する処理と、前記複数の日付領域の一つが選択された場合に、選択された日付領域の日付と関連づけられている画像を前記第２領域に表示する処理と、前記第１領域の拡大指示が入力された場合に、前記複数の日付領域のうち、少なくとも連続する２以上の日付領域が前記第１画面におけるサイズよりも拡大表示されるとともに、拡大表示された日付領域に前記第１サムネイルの一部領域を拡大表示した第２サムネイルが表示される第２画面を前記第１画面に代わって前記ディスプレイに表示する処理と、を行う表示制御部と
を含む画像管理装置。
【請求項２】
前記画像は、文章が記載されたシートの撮影画像であり、
前記表示制御部は、前記シートの撮影画像が分割された複数の分割領域のうち、前記文章の書字方向に基づき規定された分割領域の画像を前記第２サムネイルとして表示する
請求項１に記載の画像管理装置。
【請求項３】
前記表示制御部は、前記第２サムネイルとして前記シートの撮影画像の左上隅を含む分割領域の画像を表示する
請求項１又は２に記載の画像管理装置。
【請求項４】
前記表示制御部は、前記第１サムネイルとして前記シートの撮影画像の上部を含む分割画像を表示し、前記第２サムネイルとして、前記シートの撮影画像の上部を含む分割画像がさらに分割された第２分割画像のうち、前記シートの撮影画像の左端を含む第２分割画像を表示する
請求項１又は２に記載の画像管理装置。
【請求項５】
前記表示制御部は、或る日付と関連づけられた画像の数が所定数を超過する場合に、前記或る日付に対応する日付領域に前記或る日付と関連づけられた画像に係る数を表示する請求項１から４のいずれか１項に記載の画像管理装置。
【請求項６】
前記記憶部は、前記画像と人との関連づけを記憶し、
前記表示制御部は、前記画像と人との関連づけに基づき、前記第１サムネイル及び前記第２サムネイルの少なくとも一方とともに前記第１サムネイル及び前記第２サムネイルと関連づけられた人を示す色を表示する
請求項１から５のいずれか１項に記載の画像管理装置。
【請求項７】
画像管理装置が、
連続する複数の日付に対応する複数の日付領域が表示されるともに、前記複数の日付と画像との関連づけに基づき画像が関連づけられた日付の日付領域に当該画像の第１サムネイルが表示される第１領域と、前記第１領域と異なる第２領域とを含む第１画面をディスプレイに表示し、
前記複数の日付領域の一つが選択された場合に、選択された日付領域の日付と関連づけられている画像を前記第２領域に表示し、
前記第１領域の拡大指示が入力された場合に、前記複数の日付領域のうち、少なくとも連続する２以上の日付領域が前記第１画面におけるサイズよりも拡大表示されるとともに、拡大表示された日付領域に前記第１サムネイルの一部領域が拡大された第２サムネイル
が表示される第２画面を前記第１画面に代わって前記ディスプレイに表示する
ことを含む画像管理装置の画像表示方法。
【請求項８】
画像管理装置として動作するコンピュータが、
連続する複数の日付に対応する複数の日付領域が表示されるともに、前記複数の日付と画像との関連づけに基づき画像が関連づけられた日付の日付領域に当該画像の第１サムネイルが表示される第１領域と、前記第１領域と異なる第２領域とを含む第１画面をディスプレイに表示し、
前記複数の日付領域の一つが選択された場合に、選択された日付領域の日付と関連づけられている画像を前記第２領域に表示し、
前記第１領域の拡大指示が入力された場合に、前記複数の日付領域のうち、少なくとも連続する２以上の日付領域が前記第１画面における表示サイズよりも拡大表示されるとともに、拡大表示された日付領域に前記第１サムネイルの一部領域が拡大された第２サムネイルが表示される第２画面を前記第１画面に代わって前記ディスプレイに表示する
処理を実行するプログラム。
【発明の詳細な説明】
【技術分野】
【０００１】
本発明は、画像管理装置，その画像表示方法，及び画像管理プログラムに関する。
【背景技術】
【０００２】
近年、カメラが搭載された携帯型の端末が普及している。携帯型の端末は、例えば、スマートフォン，フィーチャーフォン，タブレット型やラップトップ型のＰＣ（パーソナルコンピュータ），ＰＤＡ（Personal Digital Assistants），通信機能付きゲーム機など
がある。カメラの撮影画像のデータは、端末が備える記憶装置や、端末が通信可能なサーバなどの端末以外の装置が備える記憶装置に記憶し、保存することができる。
【０００３】
カメラの撮影画像を管理するアプリケーションがある。アプリケーションは、端末の操作に応じて、画像を登録する。画像の登録は、撮影画像と、登録日との対応関係を記憶することで行われる。画像は、何らかの情報が記載された媒体（例えばシート）の撮影画像である。ユーザは、例えば、登録日を手掛かりに撮影画像を端末の画面上に呼び出し、媒体に記録された情報の内容を確認する。媒体の実物の代わりに撮影画像を扱うことで、媒体の紛失による情報喪失や媒体整理及び管理の煩雑さなどを回避することができる。
【先行技術文献】
【特許文献】
【０００４】
【特許文献１】特開２００９−１４０４５３号公報
【特許文献２】特開２０１４−００３５８９号公報
【特許文献３】特開平１１−１３４３０５号公報
【特許文献４】国際公開第２０１２／１６４７３１号
【発明の概要】
【発明が解決しようとする課題】
【０００５】
従来、ユーザは、一覧画面を利用して、管理対象の複数の画像の中から所望の画像を検索していた。一覧画面は、撮影画像の登録日に対応する領域が上下方向に連結されてなり、各登録日に対応する領域は、画面の上下スクロールによるシーケンシャルアクセスによって画面内に呼び出すことができる。登録日の領域には、各画像のサムネイルが表示される。
【０００６】
ユーザは、画面の上下スクロールによって、所望の通知のサムネイルを画面上に呼び出し、例えば、サムネイルをクリック或いは押し下げすることで、撮影画像中の内容を閲覧可能となる。
【０００７】
しかし、一覧画面では、シーケンシャルアクセスでしか所望の画像を検索できないので、画像の登録数が多くなると、所望の画像のサムネイルを画面上に呼び出すのに時間がかかる一方、登録された画像を部分的にしか参照できないので、画像の登録数や登録日を直感的に把握することが困難であった。
【０００８】
本発明は、画像の登録数や登録日の把握を容易にし得る画像管理装置，画像管理方法，及び画像管理プログラムを提供することを目的とする。
【課題を解決するための手段】
【０００９】
本発明の態様の一つは、画像管理装置である。この画像管理装置は、連続する複数の日付のそれぞれと画像との関連づけを記憶する記憶部と、
前記複数の日付に対応する複数の日付領域が表示されるともに、前記記憶部の関連づけに基づき画像が関連づけられている日付の日付領域に関連づけられた画像の第１サムネイルが表示される第１領域と、前記第１領域と異なる第２領域とを含む第１画面をディスプレイに表示する処理と、前記複数の日付領域の一つが選択された場合に、選択された日付領域の日付と関連づけられている画像を前記第２領域に表示する処理と、前記第１領域の拡大指示が入力された場合に、前記複数の日付領域のうち、少なくとも連続する２以上の日付領域が前記第１画面における表示サイズよりも拡大表示されるとともに、拡大表示された日付領域に前記第１サムネイルの一部領域を拡大表示した第２サムネイルが表示される第２画面を前記第１画面に代わって前記ディスプレイに表示する処理とを行う表示制御部とを含む。
【００１０】
本発明は、他の態様として、画像管理装置の画像表示方法，画像管理プログラム，及び画像管理プログラムを記録した記録媒体を含むことができる。
【発明の効果】
【００１１】
本発明によれば、画像の登録数や登録日の把握が容易となる。
【図面の簡単な説明】
【００１２】
【図１】図１は、実施形態に係る画像管理装置の一例である端末のハードウェア構成例を示す。
【図２】図２は、一覧画面の表示例を示す。
【図３】図３は、第１カレンダー画面の表示例を示す図である。
【図４】図４は、第１カレンダー画面の表示例を示す図である。
【図５】図５は、第２カレンダー画面の表示例を示す図である。
【図６】図６は、通知画像と、第１及び第２分割領域との関係を説明する図である。
【図７】図７は、第１サムネイルと第２サムネイルとの関係を説明する図である。
【図８】図８は、端末の処理例を示すフローチャートである。
【図９】図９は、メモリに記憶されるデータベースのデータ構造例を示す。
【図１０】図１０は、端末の処理例を示すフローチャートである。
【発明を実施するための形態】
【００１３】
以下、図面を参照して本発明の実施形態について説明する。実施形態の構成は例示であり、本発明の構成は実施形態の構成に限定されない。
【００１４】
＜ハードウェア構成例＞
図１は、実施形態に係る画像管理装置の一例である端末１０のハードウェア構成例を示す。端末１０は、例えば、上述した携帯型の端末である。但し、デスクトップ型やタワー型のＰＣ，サーバマシンのような有線網に接続される固定型の端末も、画像管理装置として動作し得る。端末は、図１に示す無線通信用のインタフェースに加えて、或いは、無線通信用インタフェースの代わりに、有線通信用のインタフェース（例えば、ＬＡＮカード）を備えることができる。実施形態では、端末１０が無線通信を行う携帯型の端末である例について説明する。なお、画像管理装置（端末）として使用されるコンピュータは、上記コンピュータの種類に限定されない。
【００１５】
図１において、端末１０は、バスを介して相互に接続されたＣＰＵ１１，メモリ１２，入力装置１３，カメラ１３ａ，出力装置１４，ベースバンド（ＢＢ）回路１５を含む。ＢＢ回路１５には、Radio Frequency（ＲＦ回路）１６が接続され、ＲＦ回路１６には、ア
ンテナ１７が接続されている。さらに、端末１０は、周辺機器（例えば、ＵＳＢメモリなど）を接続するためのＵＳＢコネクタ１８を有している。但し、ＵＳＢコネクタ以外のバス形式に則ったインタフェース（コネクタ）を端末１０が備えていても良い。
【００１６】
メモリ１２は、不揮発性記憶媒体と、揮発性記憶媒体を含む。不揮発性記憶媒体は、例えば、Read Only Memory（ＲＯＭ），ハードディスクドライブ（ＨＤＤ），Solid State Drive（ＳＳＤ），フラッシュメモリ，Electrically Erasable Programmable Read-Only Memory（ＥＥＰＲＯＭ）などである。不揮発性記憶媒体は、ディスク記憶媒体やUniversal Serial Bus （ＵＳＢ）メモリのような可搬性を有する記憶媒体を含み得る。不揮発性
記憶媒体は、ＣＰＵ１１で実行されるプログラムと、プログラムの実行に際して使用されるデータとを記憶する。揮発性記憶媒体は、例えば、Random Access Memory（ＲＡＭ）である。揮発性記憶媒体は、ＣＰＵ１１の作業領域、データの記憶領域，通信用のデータのバッファ領域として使用される。メモリ１２は、「記憶部」，「記憶装置」，「記憶媒体」の一例である。
【００１７】
入力装置１３は、データの入力に使用される。入力装置１３は、例えば、キー，ボタン，ポインティングデバイス（マウスなど），タッチパネルなどを含む。カメラ１３ａは、画像の撮影装置である。入力装置１３として、スキャナを含み得る。出力装置１４は、データの出力に使用される。出力装置１４は、例えば、ディスプレイ装置である。また、入力装置１３は、マイクロフォンのような音声入力装置を含むことができ、出力装置１４はスピーカのような音声出力装置を含むこともできる。
【００１８】
ＢＢ回路１５は、基地局や無線アクセスポイントとの無線通信に係るディジタルベースバンド処理を行う。すなわち、ＢＢ回路１５は、送信対象のデータ（ディジタル信号）の符号化及び変調処理を行い、ベースバンド信号を生成する。また、ＢＢ回路１５は、ＲＦ回路１６から受信されるベースバンド信号の復調及び復号処理を行い、データを得る。ＢＢ回路１５は、例えば、Digital Signal Processor（ＤＳＰ），Field Programmable Gate Array（ＦＰＧＡ）のようなプログラマブルロジックデバイス（ＰＬＤ），集積回路（
ＩＣ，ＬＳＩ，Application Specific Integrated Circuit（ＡＳＩＣ）など）の少なく
とも一つを用いて形成され得る。
【００１９】
ＲＦ回路１６は、ＢＢ回路１５でベースバンド信号をＲＦ信号（電波）に変換してアンテナ１７から放射する。また、アンテナ１７で受信されるＲＦ信号（電波）は、ＲＦ回路１６でベースバンド信号に変換され、ＢＢ回路１５に入力される。
【００２０】
ＣＰＵ１１は、メモリ１２の不揮発性記憶媒体に記憶されたプログラムを揮発性記憶媒体にロードして実行することによって、様々な処理を行うことができる。例えば、ＣＰＵ１１は、画像管理用のアプリケーションプログラムの実行によって、端末１０を画像管理装置として動作させる。ＣＰＵ１１は、「制御部」、「制御装置」、「コントローラ」、「表示制御部」の一例である。
【００２１】
ＣＰＵ１１は、ＭＰＵ（Microprocessor）、プロセッサとも呼ばれる。ＣＰＵ１１は、単一のプロセッサに限定される訳ではなく、マルチプロセッサ構成であってもよい。また、単一のソケットで接続される単一のＣＰＵがマルチコア構成を有していても良い。ＣＰＵ１１で行われる処理の少なくとも一部は、ＣＰＵ以外のプロセッサ、例えば、Digital Signal Processor(DSP)、Graphics Processing Unit（GPU）、数値演算プロセッサ、ベクトルプロセッサ、画像処理プロセッサ等の専用プロセッサで行われても良い。
【００２２】
また、ＣＰＵ１１で行われる処理の少なくとも一部は、集積回路（ＩＣ）、その他のディジタル回路で行われても良い。また、集積回路やディジタル回路はアナログ回路を含んでいても良い。集積回路は、ＬＳＩ，Application Specific Integrated Circuit（ASIC
），プログラマブルロジックデバイス（ＰＬＤ）を含む。ＰＬＤは、例えば、ＦＰＧＡを含む。ＣＰＵ１１で行われる処理の少なくとも一部は、プロセッサと集積回路との組み合
わせにより実行されても良い。組み合わせは、例えば、マイクロコントローラ（ＭＣＵ），ＳｏＣ（System-on-a-chip），システムＬＳＩ，チップセットなどと呼ばれる。
【００２３】
画像管理用のアプリケーションプログラムは、メモリ１２にインストールされている。実施形態の画像管理用のアプリケーションは、端末のユーザの管理対象者の所属先から提供される書類等（シート）を、端末１０が備えるカメラ１３ａで撮影し、原本（シート）の代わりに撮影画像で管理するために使用される。但し、画像は、上記した書類等以外の画像に適用可能である。画像は、撮影画像の他、描画画像も含み得る。  
【００２４】
管理対象者は、例えば、ユーザの家族（子供、配偶者、親など）である。但し、管理対象者は、親族や他人であっても良く、特に制限はない。所属先は、管理対象者が所属する団体や組織であり、例えば、保育園，幼稚園，学校，塾，スポーツクラブ，勤務先，高齢者施設などである。所属先は、これらの例示に制限されない。書類等は、所属先から提供される各種の案内文書，連絡文書，お知らせ、お便りなどを含む。書類等は、例えば、文章，図形，記号，挿絵などが表示されたシートである。但し、シート以外の媒体も含み得る。
【００２５】
アプリケーションは、端末１０の操作に応じて、書類等を登録する。書類等の登録は、書類等の撮影画像と、登録日との関連（対応関係）を記憶することで行われる。ユーザは、端末１０を操作し、登録日に関連づけられた書類等の撮影画像を画面上に呼び出し、書類等の内容を確認することができる。シート（媒体）の代わりに撮影画像を扱うことで、媒体の紛失や書類等の紛失や媒体の整理及び管理の煩雑さなどを回避することができる。以下の実施形態の説明では、一覧画面以外の画像の検索用画面を表示して、ユーザの画像の登録状況の把握及び所望の画像検索を容易にする構成及び方法について説明する。
【００２６】
＜画面表示例＞
以下端末１０の出力装置１４であるディスプレイに表示される画面の表示例について説明する。以下の説明では、入力装置１３は、一例として、タッチパネルである場合について説明する。画面の表示は、表示制御部として動作するＣＰＵ１１によって行われる。
＜＜一覧画面＞＞
図２は、一覧画面の表示例を示す。一覧画面２０は、１以上の日付欄２１を有する。日付欄２１は、登録日毎に設けられる。但し、同一の登録日について２以上の日付欄２１を設けることもできる。複数の日付欄がある場合、日付欄２１同士は画面の上下方向（縦方向）で連結される。日付欄２１は、下に行くほど日付（登録日）が若くなる。但し、逆であっても良い。
【００２７】
各日付欄２１には、その日付と関連づけられた画像の一部（一部画像）２２が表示される。実施形態において、画像は、ユーザの子ども（管理対象者の一例）の所属先（例えば、保育園）から提供される書類等（お便り、お知らせ）のシートを撮影した画像である場合について説明する。一つの日付欄２１（登録日）に対し、複数の画像を関連づけることができ、対応する表示領域に対応する一部画像２２が表示される。図２の例では、２０１６年１月２０日の日付欄２１に対し、３つの画像が関連づけられ、対応する一部画像２２が表示されている。
【００２８】
一部画像２２の表示領域には、書類等と関連づけられる管理対象者を示す（ユーザに直感的に把握させるための）シンボルが表示される。図２の例では、管理対象者は、男子１名、女子１名であり、女子に対応する書類等の一部画像２２上には、ピンク色の円形のシンボル２３が表示される。一方、男子に対応する書類等の一部画像２２上には、青色の円形のシンボル２４が表示される。シンボル２３、２４は一例であり、色や図形は例示以外のものを適用可能である。但し、色で管理対象者が区別されるようにすることで、ユーザ
が直感的に書類等と関連する管理対象者を把握できる点で好ましい。
【００２９】
複数の日付欄２１の全体が画面内に表示できない場合には、日付欄２１は上下方向にスクロール可能に表示される。ユーザは、タッチパネル操作（上下方向のフリック動作）によって、所望の日付欄２１を画面中央に表示させることができる。一部画像２２に対し、所定のタッチ操作が行われることで、書類等に対する個別画面（図示せず）に表示内容が遷移する。個別画面では、書類等の撮影画像全体を参照することができ、ユーザは、書類等の示された情報を読むことができる。  
【００３０】
一覧画面２０の上部領域２０Ａ及び下部領域２０Ｂのそれぞれは、幾つかの操作ボタン（アイコン）の配置領域として使用される。上部領域２０Ａは、画面の上端を含む帯状の領域であり、下部領域２０Ｂは、画面下端を含む帯状の領域である。上部領域２０Ａ及び下部領域２０Ｂは、画面の上下方向において上部領域２０Ａと下部領域２０Ｂ特許統括部の間にある領域の表示内容の変更に関わらず、表示が継続されるようにしても良い。
【００３１】
実施形態では、主として、以下のようなアイコン（ボタン）が配置されている。例えば、下部領域２０Ｂの中央に配置されたカメラ型のアイコン２５は、書類等の画像の撮影モードの開始ボタンである。アイコン２５がタップされることで、画面が書類等の撮影画面となり、カメラ１３ａの視野画像が画面に表示される。
【００３２】
例えば、カメラ１３ａを用い、矩形の書類等のシートを、シートの四隅が視野に入る状態で書類等の四隅が入る状態で撮影すると、ＣＰＵ１１は、所定の画像補正処理を行い、撮影された書類等の画像を、所定サイズを有する矩形状の画像に加工する。このとき、ＣＰＵ１１は、必要に応じて、シートに表示された文字のサイズ変更（拡大・縮小）を行うこともできる。
【００３３】
ＣＰＵ１１は、書類等の画像を、登録日、及び画像に関してユーザが入力装置１３を用いて入力した書誌事項と関連づけて、メモリ１２に記憶する。但し、書類等の画像は、ＵＳＢコネクタ１８を介して接続された記憶装置に記憶されても良く、ＢＢ回路１５やＲＦ回路１６を用いた無線通信によって端末１０以外の装置やクラウドが備える記憶装置に記憶されても良い。
【００３４】
一覧画面２０の左上隅にあるゼムクリップ型のアイコン２６は、いわゆる「お気に入り」乃至「ブックマーク」の画像の呼び出しボタンである。ＣＰＵ１１は、ユーザの操作に応じて、所望の書類等の画像に「お気に入り」の設定を施すことができる。アイコン２６がタップされると、ＣＰＵ１１は、画面上に、「お気に入り」の設定が施された画像のリストが表示される「お気に入り画面」を表示する。ユーザは、「お気に入り画面」を用いて、所望の画像を画面上に呼び出すことができる。
【００３５】
一覧画面の右上隅にあるカレンダー型のアイコン２７は、カレンダー表示への切り替えボタンとして使用される。なお、上記したアイコン２５，アイコン２６，アイコン２７の形状や色、配置位置は適宜変更可能である。
【００３６】
＜＜第１カレンダー画面＞＞
図３及び図４は、第１カレンダー画面３０の表示例を示す図である。第１カレンダー画面３０は、上部領域２０Ａ及び下部領域２０Ｂと、上部領域２０Ａと下部領域２０Ｂとの間に設けられた第１領域３１と、第２領域３２とを有する。第１カレンダー画面３０は、「第１画面」に相当する。
【００３７】
第１領域３１は、上部領域２０Ａの下部に設けられた矩形の領域であり、帯状の年月の
表示欄３３と、月の要素の日（連続する日付）に対応する複数の日付領域３４を有する。日付領域３４は、七曜（日月火水木金土）に対応する七曜表（月のカレンダー）を形成し、週の数に合わせて数段に形成される。複数の日付領域３４は、「連続する複数の日付に対応する複数の日付領域」に対応する。
【００３８】
なお、第１領域３１が左右にフリックされることで、隣接する月の七曜表を第１領域３１に表示させることができる。図３に示す例では、左側にフリックすると、２０１６年１月の七曜表が第１領域３１に表示される。右側にフリックされると、２０１５年１１月の七曜表が第１領域３１に表示される。
【００３９】
但し、第１領域３１に表示される、連続する日付の日付領域は、必ずしも月対応であることを要しない。例えば、一週間或いは数週間分の日付領域であってもよい。また日付領域３４の数は適宜設定可能であり、複数の段で表示されることも必須ではない。換言すれば、或る連続する日付で特定する期間にある、画像の登録日（画像と関連づけられた日付）が把握可能であれば良い。
【００４０】
第１領域３１において、当日は日付領域３４の地色と異なる色で表示される。また、第１領域３１には、日付領域３４を選択するためのカーソル３５が表示されており、ユーザは、入力装置１３を用いて（例えば、タッチパネル操作で）カーソルを操作することができる。
【００４１】
日付と関連づけられた画像がある場合、日付領域３４には、関連づけられた画像の第１サムネイル３６と、画像と関連づけられた管理対象者を示す色のシンボル２４Ａ，２３Ａが表示される。また、日付領域３４において、所定数（例えば２）を超過する数の画像が関連づけられている場合には、関連づけられた画像の総数が日付領域３４に表示される。例えば、図３に示す例では、日付領域３４に同時に表示可能な第１サムネイル３６の数は最大２であり、関連づけられた画像数が３である１２月７日に対応する日付領域３４には、画像の総数を示す数字“３”が表示されている。これによって、ユーザは、日付領域３４に表示されていない書類等の存在を知ることができる。
【００４２】
第２領域３２には、カーソル３５で特定された日付領域３４の日付と関連づけられた画像が表示される。関連づけられた画像として、一覧画面２０で表示される一部画像２２と、一部画像２２に対応するシンボル２３又はシンボル２４が表示される。
【００４３】
なお、カーソル３５で特定された日付領域３４に関連する画像が登録されていない場合には、図４に示すように、一部画像２２及びシンボル２３又はシンボル２４は表示されない。図４の例では、カーソル３５が、関連づけられた画像のない１２月２２日を指定している例を示す。
【００４４】
第２領域３２は、拡大ボタン３７と、「今日へ」ボタン３８と、追加ボタン３９とを有する。追加ボタン３９は、カーソル３５で選択した日付に画像を追加（登録）するためのボタンである。追加ボタン３９がタップされると、画像の撮影モードとなる。「今日へ」ボタン３８は、カーソル３５を、今日（当日）に移動させるためのボタンである。
【００４５】
拡大ボタン３７には、下方向の矢印のシンボルが図示されており、拡大ボタン３７を押した状態でフリック動作が行われると、ＣＰＵ１１は、画面の表示内容が第１カレンダー画面３０から第２カレンダー画面４０に遷移させる（切り替え表示する）。
【００４６】
＜＜第２カレンダー画面＞＞
図５は、第２カレンダー画面４０の表示例を示す図である。第２カレンダー画面４０は
、上部領域２０Ａ及び下部領域２０Ｂと、上部領域２０Ａと下部領域２０Ｂとの間に設けられ、第１領域３１が拡大表示された拡大表示領域４１とを有する。拡大表示領域４１は、日付領域３４より大きいサイズの日付領域３４Ａが複数表示される。第２カレンダー画面４０は、「第２画面」に相当する。なお、図５に示す例では、日付領域３４Ａの数は日付領域３４と同数であるが、日付領域３４より少ない数であっても良い。
【００４７】
拡大表示領域４１において、画像と関連づけられた日の日付領域３４Ａには、第１サムネイル３６と異なる第２サムネイル４２と、第２サムネイルに対応するシンボル２４Ａ又はシンボル２３Ａが表示される。
【００４８】
図６は、書類等の画像と、第１及び第２分割領域との関係を説明する図である。図７は、第１サムネイルと第２サムネイルとの関係を説明する図である。図６に示すように、書類等の撮影画像（画像）５０は、縦長の長方形を有している。この長方形が左右方向（水平方向）に分割されて、複数の第１分割領域５１が形成される。ＣＰＵ１１は、複数の第１分割領域のうち、画像５０の上端を含む第１分割領域５１の表示内容（分割画像に相当）を、第２領域３２に表示される一部画像２２として生成する。さらに、ＣＰＵ１１は、一部画像２２の縮小画像を第１サムネイル３６として生成し、対応する日付領域３４に表示する。
【００４９】
第１分割領域５１は、上下方向（垂直方向）に分割されて、所定数（図６の例では２つ）の第２分割領域５２に分割される。複数の第２分割領域５２のうち、画像５０の左端を含む第２分割領域５２の表示内容（第２分割画像に相当）が第２サムネイル４２の表示内容にされる。ＣＰＵ１１は、図７に示すように、第２サムネイル４２を第１サムネイル３６よりも大きいサイズで生成し、対応する日付領域３４Ａに表示する。
【００５０】
一部画像２２及び第２サムネイル４２として画像５０から抽出される領域は、書類等に記載された文章の書字方向に基づいて規定される。実施形態で例示される書類等は、左横書きにて記載されている。通常、文章は、タイトルや文頭にその書類等の内容を示す文言が記載されることが少なくない。
【００５１】
このため、複数の第１分割領域５１のうち、上端を含む第１分割領域５１が一部画像として第２領域３２に表示されることで、ユーザは、書類等の内容を把握できる。一方、第１カレンダー画面３０では、日付領域３４に一部画像２２を縮小した第１サムネイル３６を表示する一方、第２領域３２に一部画像２２を表示する。このため、ユーザは、第１サムネイル３６に表示された文章が読めなくても、一部画像２２の参照により、文章の内容を読むことができる。
【００５２】
ところが、第１カレンダー画面３０では、第１サムネイル３６から文章の内容が読めない場合には、各第１サムネイルに対応する一部画像２２を第２領域３２に表示しなければ、各書類等の内容を把握できない。このための操作がユーザにとって煩雑になり得るため、別途第２カレンダー画面４０が用意される。
【００５３】
第２カレンダー画面４０では、第１サムネイル３６の表示内容のうち、画像５０の左端を含む第２分割領域５２が第１サムネイル３６よりも大きいサイズで表示される第２サムネイルを日付領域３４Ａに表示する。書類等において文章が左横書きで記載されているので、左端を含む第２分割領域５２には、タイトルや本文の文頭が含まれる可能性が高く、他の第２分割領域に比べて書類等の内容を把握しやすいと考えられる。
【００５４】
さらに，第１サムネイル３６よりも文字が拡大表示されるので、第２サムネイル４２から書類等の内容をユーザは把握できる。換言すれば、拡大表示領域４１に表示された各第
２サムネイル４２から、ユーザは、その月に登録した通知の内容を把握し得る。よって、一覧画面２０を用いて、シーケンシャルに各書類等の画像（一部画像２２）にアクセスする場合よりも、手間が少なく各書類等の内容を把握できる。また、カレンダー上で第１サムネイル３６や第２サムネイル４２が表示されることで、ユーザは、書類等の画像の登録日を直感的に把握することができる。
【００５５】
例えば、書字方向が右横書きであれば、上端を含む第１分割領域５１のうち、右端を含む第２分割領域５２についての第２サムネイル４２が生成されるようにしても良い。書字方向が右縦書きであれば、画像５０が上下方向に分割され、複数の第１分割領域５１が生成され、右端を含む第１分割領域５１について一部画像２２及び第１サムネイル３６が生成される。一方、当該第１分割領域５１が水平方向に分割されて所定数の第２分割領域５２が形成され、上端を含む第２分割領域５２について第２サムネイル４２が生成されるようにしても良い。
【００５６】
なお、第２カレンダー画面４０から第１カレンダー画面３０に戻る場合には、アイコン２７がクリック又はタップされる。また、第２サムネイル４２がクリック乃至タップされることで、書類等の画像を表示する画面に遷移するようにしても良い。
【００５７】
＜ＣＰＵの処理例＞
以下、ＣＰＵ１１による画像管理装置としての動作（処理）について説明する。図８は、端末１０の処理例を示すフローチャートである。０１の処理において、端末１０は、カメラ１３ａを用いて書類等を撮影する。
【００５８】
ＣＰＵ１１は、所定フォーマットを有する書類等の画像を生成する（０２）。０３の処理では、画像を日付（登録日）と関連づける。０４の処理において、ＣＰＵ１１は、画像に対する第１分割領域５１及び第２分割領域５２の生成処理を行うとともに、第１分割領域５１から一部画像２２及び第１サムネイル３６の画像を生成する。また、ＣＰＵ１１は、第２分割領域５２から第２サムネイル４２の画像を生成する。
【００５９】
ＣＰＵ１１は、書類等の画像、画像が関連づけられた日付、一部画像２２，第１サムネイル３６，第２サムネイル４２の関連情報をデータベース（ＤＢ）に登録する（０５）。図９は、ＤＢへ登録されるレコードの例を示す。
【００６０】
図９に示すように、例えば、書類等の画像のファイル名と、画像ファイルの記憶領域のアドレスと、登録日時（登録の日付）と、一部画像２２のファイル名及び記憶領域のアドレスとをＣＰＵ１１はＤＢに記憶する。さらに、ＣＰＵ１１は、第１サムネイル３６のファイル名及び記憶領域のアドレス、及び第２サムネイル４２のファイル名及び記憶領域のアドレスをＤＢに記憶する。ＤＢは、メモリ１２に記憶される。更に、メモリ１２には、画像と人（管理対象者）と色の関連づけを示す情報が記憶される。当該情報はＤＢにて管理されても良い。また、ＤＢに対するレコードは、画像毎に作成され、同一の登録日を有するレコード数が日付領域３４や日付領域３４Ａに表示される画像の数として管理される。
【００６１】
図１０は、第１カレンダー画面３０及び第２カレンダー画面４０の表示処理例を示すフローチャートである。図１０の処理は、例えば、ＣＰＵ１１がディスプレイ（出力装置１４）に一覧画面２０を表示している状態において、アイコン２７が操作された場合に開始される。
【００６２】
１１の処理において、ＣＰＵ１１は、ディスプレイに、第１カレンダー画面３０を表示する。このとき、ＣＰＵ１１は、第１領域３１の日付領域３４に、日付に関連づけられた
画像の第１サムネイル３６を表示する一方で、第２領域３２に、カーソル３５で選択された日付領域３４に関連する一部画像２２及び対応する色のシンボル２３又は２４を表示する。また、ＣＰＵ１１は、メモリ１２に記憶された画像と人と色との関連づけに基づき、第１領域３１内に、第１サムネイル３６の画像に対応する色のシンボル２３Ａ又はシンボル２４Ａを表示する。さらにＣＰＵ２１は、日付と関連づけられた画像の総数が所定数（日付領域３４に表示可能なサムネイルの上限数）を超過する場合に、日付と関連づけられた画像に係る数として、日付と関連づけられた画像の総数を示す数字を表示する。但し、画像に係る数は、日付領域に表示できない画像の数であっても良い。
【００６３】
１２の処理において、ＣＰＵ１１は、拡大ボタン３７が操作されたか否かを判定する。拡大ボタン３７の操作は、拡大指示の入力に相当する。拡大ボタン３７が操作された場合には、ＣＰＵ１１は、１３の処理において、第２カレンダー画面４０をディスプレイに表示する。このとき、日付領域３４Ａにおいて、日付と関連づけられた画像の第２サムネイル４２が表示される。また、第２サムネイル４２に対応する色のシンボル（シンボル２３Ａ，２４Ａ）も表示される。ユーザは、第２サムネイル４２を参照することで、各登録日に登録された画像（書類等）の内容把握が容易となる。
【００６４】
このように、実施形態によれば、第１カレンダー画面３０及び第２カレンダー画面４０の表示によって、画像の登録数や登録日の把握が一覧画面２０のみを表示する場合に比べて容易となる。よって、画像管理装置（端末１０のアプリケーション）の利便性が向上する。
【００６５】
＜変形例＞
なお、上述した実施形態は、以下のような変形が可能である。実施形態では、端末１０が備えるカメラ１３ａによって撮影された書類等の画像が管理対象となっているが、カメラ１３以外のカメラで撮影されたりスキャナで取り込まれりした画像が管理対象に含まれても良い。
【００６６】
また、例えば、実施形態では、書字方向に基づいて規定された第１及び第２分割領域に応じた第１及び第２サムネイルが生成されている。これに対し、例えば、端末１０が、ＯＣＲ(Optical Character Recognition：光学文字認識)機能と、書類等の内容を把握する
ためのキーワードが記憶された辞書とを具備する構成を適用し得る。この場合、ＣＰＵ１１は、ＯＣＲによって書類等の画像からテキストを抽出し、辞書と対比して複数の分割領域（例えば第２分割領域５２）の中からキーワードを含む領域を含む第２分割領域５２を特定する。そして、ＣＰＵ１１は、当該第２分割領域５２についての第２サムネイル４２を生成する。
【００６７】
また、実施形態では、日付領域３４に複数の第１サムネイル３６が表示される場合において、第１サムネイル３６が所定の優先順位に従って表示されるようにしても良い。例えば、複数の第１サムネイル３６のうち、「お気に入り」に設定されている画像の第１サムネイル３６がある場合には、当該第１サムネイル３６が優先的に表示されるようにしても良い。日付領域３４Ａに複数の第２サムネイル４２が表示される場合も同様である。
【００６８】
以上説明した実施形態の構成は、本発明の目的を逸脱しない範囲で適宜組み合わせることができる。
【符号の説明】
【００６９】
１０・・・端末
１１・・・ＣＰＵ（プロセッサ：制御装置）
１２・・・メモリ
【図１】
2017167585.tif 000003
【図２】
2017167585.tif 000004
【図３】
2017167585.tif 000005
【図４】
2017167585.tif 000006
【図５】
2017167585.tif 000007
【図６】
2017167585.tif 000008
【図７】
2017167585.tif 000009
【図８】
2017167585.tif 000010
【図９】
2017167585.tif 000011
【図１０】
2017167585.tif 000012